(57)【特許請求の範囲】
【請求項１】
前後一側に設けられた基板差込口及び反対側に設けられた基板接続部と、これらの基板差込口から基板接続部にかけて延在する複数のソケット端子とを備えたコネクタ本体：複数のプラグ端子を有し、上記基板接続部に対して着脱自在であると共に、該基板接続部に接続されることによって上記プラグ端子が上記ソケット端子に電気接続されるプラグ基板：からなり、
上記コネクタ本体は、上記基板接続部の左右両端部に、上記プラグ基板が挿入される挿入間隙を備えた基板挟持部を有し、該基板挟持部は、上記挿入間隙を介して相対する一対の挟持アームからなり、各挟持アームの先端寄りの位置には、上記挿入間隙内に突出する突起がそれぞれ形成され、一対の挟持アームの基端寄りの位置には、上記挿入間隙を横切る柱状ガイドが形成され、
上記プラグ基板は、上記基板挟持部の挿入間隙内に挿入される接続側部分と、上記コネクタ本体から延出して他のコネクタに差し込まれる差込側部分とからなり、該プラグ基板の左右両端部寄りの位置には、上記突起が係止する窪みと、上記柱状ガイドが係合するＬ字形の切欠とが、該プラグ基板の前後方向の位置に形成され、上記窪みはプラグ基板の表裏両面に形成され、上記切欠は、上記接続側部分の端縁から該プラグ基板の前後方向に延びる縦孔部と、該縦孔部からプラグ基板の左右方向に延びる横孔部とからなり、
上記プラグ基板の接続側部分を上記コネクタ本体の基板挟持部の挿入間隙内に挿入すると共に上記挟持アームの柱状ガイドを上記切欠の縦孔部内に嵌合させた状態から、該プラグ基板を挿入方向と直角にスライドさせることにより、上記柱状ガイドが上記切欠の横孔部に嵌合、係止すると同時に上記突起が上記窪みに係止するように構成されている、
ことを特徴とするスタッキングコネクタ。
【発明の詳細な説明】
【技術分野】
【０００１】
本発明は、複数の電磁弁を連接して電磁弁アセンブリを構成する場合に各電磁弁に取り付けられ、相互にプラグイン式に接続されることによって電気信号の送受に使用されるスタッキングコネクタに関するものである。
【背景技術】
【０００２】
例えば特許文献１には、複数の電磁弁を連接して電磁弁アセンブリを構成する技術について開示されている。このような電磁弁アセンブリにおいては、各電磁弁にスタッキングコネクタが取り付けられていて、隣接する電磁弁のスタッキングコネクタ同士が相互にプラグイン式に接続されることにより、各電磁弁間でシリアル信号やパラレル信号あるいは電力信号などの電気信号の送受が行われるようになっている。
【０００３】
この種の電磁弁アセンブリに使用される公知のスタッキングコネクタは、図９に示すように、電気接続のための差込口３と複数のソケット端子４とを備えたコネクタ本体１と、複数のプラグ端子５を表裏両面に備えたプラグ基板２とからなっていて、このプラグ基板２の接続側部分２ａを上記ソケット端子４の端部間に挿入し、対応するソケット端子４とプラグ端子５とをはんだ６で接着することにより、これらのコネクタ本体１とプラグ基板２とが相互に接続されている。そして、上記プラグ基板２の差込側部分２ｂを他のスタッキングコネクタの差込口に差し込むことにより、スタッキングコネクタ同士が相互に電気接続されるようになっている。
【０００４】
ところが、上記従来のスタッキングコネクタは、上記コネクタ本体１とプラグ基板２とを接続する場合に、上記ソケット端子４とプラグ端子５とをはんだ付けし、このはんだ６を、これら両端子４，５間の電気接続の確保と、上記コネクタ本体１とプラグ基板２との機械的結合力の確保とに利用していた。このため、端子数が多い場合にはんだ付け作業が繁雑であるばかりでなく、上記コネクタ本体１とプラグ基板２とにそれらを互いに引き離す方向の作用力が加わった場合に、その作用力が上記ソケット端子４とプラグ端子５とに直接作用し、はんだの剥離や端子の破損等を生じ易かった。
【特許文献１】特開２００５−３０８１２４号公報
【発明の開示】
【発明が解決しようとする課題】
【０００５】
そこで本発明の目的は、コネクタ本体とプラグ基板とを接続する場合に、該コネクタ本体のソケット端子とプラグ基板のプラグ端子とを相互にはんだ付けする必要がなく、従ってはんだ付けの手間を必要とせず、しかも連結強度の大きい、合理的設計構造を備えたスタッキングコネクタを提供することにある。
【課題を解決するための手段】
【０００６】
上記目的を達成するため、本発明のスタッキングコネクタは、前後一側に設けられた基板差込口及び反対側に設けられた基板接続部と、これらの基板差込口から基板接続部にかけて延在する複数のソケット端子とを備えたコネクタ本体：複数のプラグ端子を有し、上記基板接続部に対して着脱自在であると共に、該基板接続部に接続されることによって上記プラグ端子が上記ソケット端子に電気接続されるプラグ基板：からなっている。
上記コネクタ本体は、上記基板接続部の左右両端部に、上記プラグ基板が挿入される挿入間隙を備えた基板挟持部を有し、該基板挟持部は、上記挿入間隙を介して相対する一対の挟持アームからなり、各挟持アームの先端寄りの位置には、上記挿入間隙内に突出する突起がそれぞれ形成され、一対の挟持アームの基端寄りの位置には、上記挿入間隙を横切って両挟持アームに連なる柱状ガイドが形成されている。
また、上記プラグ基板は、上記基板挟持部の挿入間隙内に挿入される接続側部分と、上記コネクタ本体から延出して他のコネクタに差し込まれる差込側部分とからなり、該プラグ基板の左右両端部寄りの位置には、上記突起が係止する窪みと、上記柱状ガイドが係合するＬ字形の切欠とが、該プラグ基板の前後方向の位置に形成され、上記窪みはプラグ基板の表裏両面に形成され、上記切欠は、上記接続側部分の端縁から該プラグ基板の前後方向に延びる縦孔部と、該縦孔部からプラグ基板の左右方向に延びる横孔部とからなっている。
そして、上記プラグ基板の接続側部分を上記コネクタ本体の基板挟持部の挿入間隙内に挿入すると共に、上記挟持アームの柱状ガイドを上記切欠の縦孔部内に嵌合させた状態から、該プラグ基板を挿入方向と直角にスライドさせることにより、上記柱状ガイドが上記切欠の横孔部に嵌合、係止すると同時に上記突起が上記窪みに係止するように構成されている。
【発明の効果】
【０００９】
本発明のスタッキングコネクタは、コネクタ本体の基板挟持部に突起を設けると共に、プラグ基板の表裏両面に窪みを設け、該プラグ基板を上記基板挟持部の挿入間隙内に挿入したあと、該プラグ基板を挿入方向と直角にスライドさせることにより、上記窪みが上記突起に係止して該プラグ基板が上記コネクタ本体に対して抜止状態に接続されるように構成したので、上記コネクタ本体とプラグ基板とを接続する場合に、該コネクタ本体のソケット端子とプラグ基板のプラグ端子とを相互にはんだ付けする必要がなく、このため、はんだ付けの手間を必要とせず、接続強度も大きいという利点がある。
【発明を実施するための最良の形態】
【００１０】
図１〜図８は本発明に係るスタッキングコネクタの一実施形態を示すもので、このスタッキングコネクタは、ソケットの役目を果たすコネクタ本体１０に、プラグの役目を果たすプラグ基板１１を着脱自在に接続することにより形成されている。
【００１１】
上記コネクタ本体１０は、合成樹脂のような電気絶縁素材で形成された横に細長いボディ１３を有している。このボディ１３の一側即ち前面側には、該ボディ１３の長さ方向に沿って横に細長く開放する基板差込口１４が設けられ、ボディ１３の反対側即ち後部側には、上記プラグ基板１１を接続するための基板接続部１５が形成され、さらに該ボディ１３には、これらの基板差込口１４から基板接続部１５にかけてボディ１３の前後方向に延在する複数のソケット端子１６が設けられている。
【００１２】
上記ソケット端子１６は、図３から明らかなように、相対する一対の弾性金具１７からなるもので、これらの弾性金具１７の前端部１７ａは、上記基板差込口１４の内側即ち他方の弾性金具１７側に向けて略Ｕ字形に折り曲げられ、反対側の後端部１７ｂは、同様に内側に向けて略Ｖ字形に折り曲げられている。そして、これらの弾性金具１７が、前端部１７ａを上記基板差込口１４内に非突出状態に位置させると共に、後端部１７ｂを上記ボディ１３から基板接続部１５側に突出させた状態で、ボディ１３に形成された端子収容溝１８内に収容されることにより、互いに並列に配設されている。
【００１３】
また、上記コネクタ本体１０の左右両端部には、上記プラグ基板１１を挿入するための挿入間隙２１を有する基板挟持部２０が形成されている。この基板挟持部２０は、上記挿入間隙２１を介して相対する表裏一対の挟持アーム２２からなるもので、これらの挟持アーム２２が、上記ボディ１３の左右両端部から基板接続部１５側即ち該ボディ１３の後方側に向けて延出している。従って、左右２つの基板挟持部２０に挟まれたボディ１３の後方側の部分は凹状をなしていて、この凹状をなす部分に上記ソケット端子１６における弾性金具１７の後端部１７ｂが突出している。
【００１４】
上記表裏一対の挟持アーム２２の延出端又はその近傍の互いに相対する内面には、上記挿入間隙２１内に突出するように突起２４が形成され、これらの挟持アーム２２の基端側の上記ボディ１３に連なる部分よりやや延出端寄りの位置には、両端が両挟持アーム２２に連なる柱状ガイド２５が形成され、この柱状ガイド２５とボディ１３との間には空間２６が形成されている。
【００１５】
一方、上記プラグ基板１１は、合成樹脂のような電気絶縁素材で形成された横に細長いプレート状の基板本体２９に、上記コネクタ本体１０のソケット端子１６と同数のプラグ端子３０を設けた構成を有している。更に詳しく説明すると、このプラグ基板１１は、その前後方向の一半部が、上記コネクタ本体１０の挟持アーム２２間に挿入される接続側部分１１ａとされると共に、他半部が、他のスタッキングコネクタの基板差込口に差し込まれる差込側部分１１ｂとされていて、これらの接続側部分１１ａと差込側部分１１ｂとの表裏両面にそれぞれ、表面が平らな上記プラグ端子３０が設けられている。そして、上記接続側部分１１ａに位置するプラグ端子３０と差込側部分１１ｂに位置するプラグ端子３０とが、該プラグ基板１１に施された印刷配線３１によって相互に電気接続されている。なお、上記印刷配線３１は、必ずしも図示されているような態様で上記プラグ端子３０同士を接続しているとは限らない。
【００１６】
上記プラグ基板１１の左右両端部寄りの位置には、上記プラグ端子３０よりも外側の位置に、該プラグ基板１１を表裏方向に貫通する矩形の係止孔３３が形成され、この係止孔３３によって該プラグ基板１１の表裏両面に、上記コネクタ本体１０の挟持アーム２２に形成された突起２４が係止する窪みが形成されている。従って、左右２つの係止孔３３間の間隔は、左右２組の挟持アーム２２の突起２４間の間隔と同じである。なお、上記係止孔３３と窪みは実質的に同じものであるため、以下の説明においては、この窪みにも上記係止孔と同じ符号「３３」を付すものとする。
【００１７】
また、上記プラグ基板１１の接続側部分１１ａには、該プラグ基板１１の左右両端寄りの位置にそれぞれ、上記柱状ガイド２５が嵌合するＬ字形の切欠３４が設けられている。この切欠３４は、プラグ基板１１の端縁から該プラグ基板１１の前後方向に延びる縦孔部３４ａと、該縦孔部３４ａの奥端からプラグ基板１１の一端側に向けて横向きに延びる横孔部３４ｂとからなるもので、この横孔部３４ｂが、プラグ基板１１の左右方向について上記係止孔３３と対応する位置を占め、上記縦孔部３４ａは、該係止孔３３の位置より若干側方にずれた位置を占めている。
図中３５は、上記プラグ基板１１の左右方向の一端側に形成された把持部である。
【００１８】
上記コネクタ本体１０とプラグ基板１１とを相互に接続するには、図２に示すように、コネクタ本体１０の基板接続部１５とプラグ基板１１の接続側部分１１ａとを向かい合わせにした状態から、これらのコネクタ本体１０とプラグ基板１１とを互いに押し付けることにより、図４に示すように、上記プラグ基板１１の接続側部分１１ａを、コネクタ本体１０の左右両端にある表裏一対の挟持アーム２２間に挿入させると同時に、上記ソケット端子１６における一対の弾性金具１７の後端部１７ｂ間にも挿入させる。このとき、上記コネクタ本体１０の柱状ガイド２５は、上記プラグ基板１１の切欠３４の縦孔部３４ａ内に嵌合した状態にあり、また、上記挟持アーム２２の先端の突起２４は、プラグ基板１１上に乗り上げた状態にあって、一対の挟持アーム２２をそれらの間隔が広がる方向に弾力的に変形させており、窪み３３には未だ嵌合していない。更に、各ソケット端子１６とプラグ端子３０とは、互いに横方向に位置ずれした状態にあり、正しく電気接続されていない。
【００１９】
次に、上記コネクタ本体１０を図４の矢印方向Ａにスライドさせるか、又はプラグ基板１１を上記矢印方向Ａと逆方向にスライドさせると、図５〜図８に示すように、上記柱状ガイド２５が切欠３４の横孔部３４ｂに嵌合する位置まで相対的に変位するため、上記窪み３３と突起２４もそれらが正対する位置まで相対的に変位し、上記挟持アーム２２の弾性復元力によって突起２４が窪み３３内に嵌合して相互に係止することにより、これらのコネクタ本体１０とプラグ基板１１とが抜止状態に接続されることになる。また、それと同時に、上記各ソケット端子１６とプラグ端子３０も相対的に変位して位置ずれが解消され、正しく接触し合うことによって電気接続された状態になる。これらのソケット端子１６とプラグ端子３０とは、はんだ付けされていない。
【００２０】
このようにして上記コネクタ本体１０とプラグ基板１１とは、上記突起２４と窪み３３との係止によって相互に接続されているため、それらを引き離す方向の作用力が加わったとしても、その作用力は上記突起２４と窪み３３との係止力によって受け止められ、上記コネクタ本体１０とプラグ基板１１との不必要な分離が確実に防止される。しかも、上記作用力は、柱状ガイド２５が切欠３４の横孔部３４ｂに係止する力によっても受け止められるため、上記コネクタ本体１０とプラグ基板１１との接続強度は非常に大きくなる。更に、上記ソケット端子１６とプラグ端子３０とをはんだ付けする必要がないため、スタッキングコネクタの組み立て作業も容易である。
【００２１】
上記スタッキングコネクタは、特許文献１に記載されているような連接形の電磁弁に、コネクタ本体１０が該電磁弁の一方の側面側を向き、プラグ基板１１が該電磁弁の他方の側面側を向くように取り付けられるもので、複数の電磁弁を連接して電磁弁アセンブリを形成する場合に、隣接する電磁弁のスタッキングコネクタ同士が相互にプラグイン式に接続されることにより、このスタッキングコネクタを介して、電磁弁相互間でシリアル信号やパラレル信号あるいは電力信号などの電気信号の送受が行われるものである。
【図面の簡単な説明】
【００２２】
【図１】本発明に係るスタッキングコネクタの一実施形態を示すもので、コネクタ本体とプラグ基板とを分離した状態の斜視図である。
【図２】図１の平面図である。
【図３】図２の拡大断面図である。
【図４】コネクタ本体とプラグ基板とを接続する途中の状態を示す平面図である。
【図５】コネクタ本体とプラグ基板との接続後の状態を示す平面図である。
【図６】図５のVI−VI線での拡大断面図である。
【図７】図５のVII−VII線での拡大断面図である。
【図８】図５のVIII−VIII線での拡大断面図である。
【図９】従来のスタッキングコネクタの断面図である。
【符号の説明】
【００２３】
１０      コネクタ本体
１１      プラグ基板
１１ａ    接続側部分
１１ｂ    差込側部分
１４      基板差込口
１５      基板接続部
１６      ソケット端子
２０      基板挟持部
２１      挿入間隙
２２      挟持アーム
２４      突起
２５      柱状ガイド
３０      プラグ端子
３３      窪み（係止孔）
３４      切欠
３４ａ    縦孔部
３４ｂ    横孔部
【図１】
0004753055.tif 000002
【図２】
0004753055.tif 000003
【図３】
0004753055.tif 000004
【図４】
0004753055.tif 000005
【図５】
0004753055.tif 000006
【図６】
0004753055.tif 000007
【図７】
0004753055.tif 000008
【図８】
0004753055.tif 000009
【図９】
0004753055.tif 000010